(57)【要約】【課題】画像印刷装置において、安価な構成により、設定された印刷部数を表示できるようにする。【解決手段】画像印刷装置１は、印刷部数を設定するために操作される部数ボタン８４と、設定された印刷部数を表示する設定部数表示用ＬＥＤランプ９２と、画像の印刷を指示するために操作される印刷ボタン８３とを備える。画像印刷装置１は、部数ボタン８４が短押し操作（所定時間よりも短い時間押下される操作）されると、その短押し操作の回数に対応する印刷部数を設定し、一方、部数ボタン８４が長押し操作（所定時間よりも長い時間押下される操作）されると、設定部数表示用ＬＥＤランプ９２を設定された印刷部数に対応する回数点滅させることにより、設定された印刷部数を表示する。そして、画像印刷装置１は、印刷ボタン８３が押下されると、設定された印刷部数分の印刷を行う。【選択図】図１
2008168546.tif 000002
【特許請求の範囲】
【請求項１】
印刷用紙に画像を印刷する印刷手段と、前記印刷手段による画像の印刷部数を設定するために操作される部数設定操作手段と、前記部数設定操作手段の操作により設定された印刷部数を表示する設定部数表示手段と、前記部数設定操作手段の操作により設定された印刷部数を前記設定部数表示手段に表示させるために操作される部数表示操作手段と、前記印刷手段による画像の印刷を指示するために操作される印刷指示操作手段と、本装置の動作を制御する制御手段とを備える画像印刷装置において、
前記部数設定操作手段は、押下操作される押しボタンであり、該押しボタンは、前記部数表示操作手段を兼ねており、
前記設定部数表示手段は、光を発するＬＥＤランプであり、
前記制御手段は、
前記押しボタンがユーザにより所定時間よりも短い時間押下される操作である短押し操作を施されると、その短押し操作の回数に対応する印刷部数を設定し、
前記押しボタンがユーザにより所定時間よりも長い時間押下される操作である長押し操作を施されると、前記ＬＥＤランプを前記押しボタンの短押し操作により設定された印刷部数に対応する回数点滅させることにより、前記設定部数表示手段によって、前記押しボタンの短押し操作により設定された印刷部数を表示させ、
前記印刷指示操作手段により印刷指示操作がなされると、前記印刷手段によって、前記押しボタンの短押し操作により設定された印刷部数分の印刷をさせる、
ことを特徴とする画像印刷装置。
【請求項２】
印刷用紙に画像を印刷する印刷手段と、前記印刷手段による画像の印刷部数を設定するために操作される部数設定操作手段と、前記部数設定操作手段の操作により設定された印刷部数を表示する設定部数表示手段と、本装置の動作を制御する制御手段とを備える画像印刷装置において、
前記設定部数表示手段は、光を発することにより表示動作を行うものであり、
前記制御手段は、前記設定部数表示手段の発する光を前記部数設定操作手段の操作により設定された印刷部数に対応する回数点滅させることにより、前記設定部数表示手段によって、前記部数設定操作手段の操作により設定された印刷部数を表示させる、
ことを特徴とする画像印刷装置。
【請求項３】
前記部数設定操作手段の操作により設定された印刷部数を前記設定部数表示手段に表示させるために操作される部数表示操作手段をさらに備え、
前記部数設定操作手段は、押下操作される押しボタンであり、該押しボタンは、前記部数表示操作手段を兼ねており、
前記制御手段は、
前記押しボタンがユーザにより所定時間よりも短い時間押下される操作である短押し操作を施されると、その短押しの回数に対応する印刷部数を設定し、
前記押しボタンがユーザにより所定時間よりも長い時間押下される操作である長押し操作を施されると、前記設定部数表示手段の発する光を前記押しボタンの短押し操作により設定された印刷部数に対応する回数点滅させる、
ことを特徴とする請求項２に記載の画像印刷装置。
【発明の詳細な説明】
【技術分野】
【０００１】
本発明は、印刷用紙に画像を印刷する画像印刷装置に関するものである。
【背景技術】
【０００２】
従来から、画像印刷装置において、操作部を操作することにより印刷部数を設定できるようにしたものがある。また、このような画像印刷装置において、設定された印刷部数を確認のために表示部に表示するようにしたものがある。このような画像印刷装置としては、液晶表示部を設けて、液晶表示部による数字表示によって、設定された印刷部数を表示するようにしたものや、７セグＬＥＤ表示部を設けて、７セグＬＥＤ表示部による数字表示によって、設定された印刷部数を表示するようにしたものが知られている。
【０００３】
また、発光部を点滅の時間間隔の異なる複数の発光パターンで発光させることにより、異なる複数の動作状態を表示するようにした画像印刷装置が知られている（例えば特許文献１参照）。また、操作キーが一定期間以上長押しされている間、表示ランプをその長押し期間に応じた回数点滅させ、その点滅回数を印刷部数として設定するようにした画像印刷装置がしられている（例えば特許文献２参照）。
【特許文献１】特開２００６−２０５４７１号公報
【特許文献２】特開２００６−３５６４９号公報
【発明の開示】
【発明が解決しようとする課題】
【０００４】
ところが、上述した従来の画像印刷装置においては、設定された印刷部数を表示するための表示部として液晶表示部や７セグＬＥＤ表示部を設けており、液晶表示部や７セグＬＥＤ表示部が高価であるため、コストが高くなる。なお、上述した特許文献１及び特許文献２に記載の画像印刷装置は、設定された印刷部数を確認のために表示する構成にはなっておらず、従って、これら特許文献１及び特許文献２に記載の構成を適用したとしても、上記の問題を解決することはできない。
【０００５】
本発明は、上記課題を解決するためになされたものであり、安価な構成により、設定された印刷部数を表示することができる画像印刷装置を提供することを目的とする。
【課題を解決するための手段】
【０００６】
上記目的を達成するために請求項１の発明は、印刷用紙に画像を印刷する印刷手段と、印刷手段による画像の印刷部数を設定するために操作される部数設定操作手段と、部数設定操作手段の操作により設定された印刷部数を表示する設定部数表示手段と、部数設定操作手段の操作により設定された印刷部数を設定部数表示手段に表示させるために操作される部数表示操作手段と、印刷手段による画像の印刷を指示するために操作される印刷指示操作手段と、本装置の動作を制御する制御手段とを備える画像印刷装置において、部数設定操作手段は、押下操作される押しボタンであり、該押しボタンは、部数表示操作手段を兼ねており、設定部数表示手段は、光を発するＬＥＤランプであり、制御手段は、押しボタンがユーザにより所定時間よりも短い時間押下される操作である短押し操作を施されると、その短押し操作の回数に対応する印刷部数を設定し、押しボタンがユーザにより所定時間よりも長い時間押下される操作である長押し操作を施されると、ＬＥＤランプを押しボタンの短押し操作により設定された印刷部数に対応する回数点滅させることにより、設定部数表示手段によって、押しボタンの短押し操作により設定された印刷部数を表示させ、印刷指示操作手段により印刷指示操作がなされると、印刷手段によって、押しボタンの短押し操作により設定された印刷部数分の印刷をさせるものである。
【０００７】
請求項２の発明は、印刷用紙に画像を印刷する印刷手段と、印刷手段による画像の印刷部数を設定するために操作される部数設定操作手段と、部数設定操作手段の操作により設定された印刷部数を表示する設定部数表示手段と、本装置の動作を制御する制御手段とを備える画像印刷装置において、設定部数表示手段は、光を発することにより表示動作を行うものであり、制御手段は、設定部数表示手段の発する光を部数設定操作手段の操作により設定された印刷部数に対応する回数点滅させることにより、設定部数表示手段によって、部数設定操作手段の操作により設定された印刷部数を表示させるものである。
【０００８】
請求項３の発明は、請求項２に記載の画像印刷装置において、部数設定操作手段の操作により設定された印刷部数を設定部数表示手段に表示させるために操作される部数表示操作手段をさらに備え、部数設定操作手段は、押下操作される押しボタンであり、該押しボタンは、部数表示操作手段を兼ねており、制御手段は、押しボタンがユーザにより所定時間よりも短い時間押下される操作である短押し操作を施されると、その短押しの回数に対応する印刷部数を設定し、押しボタンがユーザにより所定時間よりも長い時間押下される操作である長押し操作を施されると、設定部数表示手段の発する光を押しボタンの短押し操作により設定された印刷部数に対応する回数点滅させるものである。
【発明の効果】
【０００９】
請求項１の発明によれば、部数設定操作手段の操作により設定された印刷部数は、設定部数表示手段が設定された印刷部数に対応する回数点滅することにより、設定部数表示手段の点滅回数によって表示される。従って、ユーザは、部数設定操作手段により印刷部数を設定する操作をした後、ユーザの操作により設定された印刷部数を設定部数表示手段の点滅回数によって確認することができる。しかも、設定された印刷部数を設定部数表示手段の点滅回数によって表示するため、従来のように数字表示を行う液晶表示部や７セグＬＥＤ表示部を設ける必要がなく、これにより、安価な構成によって、設定された印刷部数を確認のために表示することができる。さらに、設定部数表示手段である押しボタンを長押し操作することにより、設定された印刷部数が表示されるため、ユーザは、押しボタンを長押し操作することにより、設定された印刷部数をユーザの予期するタイミングで表示させることができ、設定された印刷部数を確実に確認することができる。また、印刷部数を設定するために操作される部数設定操作手段が、設定された印刷部数を表示させるために操作される部数表示操作手段を兼ねているため、安価な構成になる。しかも、部数設定操作手段である押しボタンを短押し操作することにより、その短押し操作の回数が印刷部数として設定されるため、数字入力用のテンキー等の操作手段が不要であり、より安価な構成になる。
【００１０】
請求項２の発明によれば、部数設定操作手段の操作により設定された印刷部数は、設定部数表示手段が設定された印刷部数に対応する回数点滅することにより、設定部数表示手段の点滅回数によって表示される。従って、ユーザは、部数設定操作手段により印刷部数を設定する操作をした後、ユーザの操作により設定された印刷部数を設定部数表示手段の点滅回数によって確認することができる。しかも、設定された印刷部数を設定部数表示手段の点滅回数によって表示するため、従来のように数字表示を行う液晶表示部や７セグＬＥＤ表示部を設ける必要がなく、これにより、安価な構成によって、設定された印刷部数を確認のために表示することができる。
【００１１】
請求項３の発明によれば、設定部数表示手段である押しボタンを長押し操作することにより、設定された印刷部数が表示されるため、ユーザは、押しボタンを長押し操作することにより、設定された印刷部数をユーザの予期するタイミングで表示させることができ、設定された印刷部数を確実に確認することができる。また、印刷部数を設定するために操作される部数設定操作手段が、設定された印刷部数を表示させるために操作される部数表示操作手段を兼ねているため、安価な構成になる。しかも、部数設定操作手段である押しボタンを短押し操作することにより、その短押し操作の回数が印刷部数として設定されるため、数字入力用のテンキー等の操作手段が不要であり、より安価な構成になる。
【発明を実施するための最良の形態】
【００１２】
以下、本発明を具体化した実施形態による画像印刷装置について図面を参照して説明する。図１（ａ）は画像印刷装置の構成を示し、図１（ｂ）は画像印刷装置の操作部及び表示部の構成を示す。画像印刷装置１は、原稿に描かれている画像を読取って、その読取った画像を印刷用紙２に印刷する装置である。
【００１３】
画像印刷装置１は、印刷用紙２が装填されるペーパレスト３と、原稿が載置される原稿台４と、原稿を押さえるための原稿押さえ板５と、印刷用紙２に画像を印刷するための印刷部６と、原稿の画像を読取るための画像読取部７と、画像印刷装置１の各種動作を指示するための操作部８と、画像印刷装置１の動作に関する各種表示を行う表示部９等を備える。
【００１４】
ペーパレスト３は、筺体１０の背部に設けられている。印刷用紙２は、１枚又は複数枚のものが重ねられて、ペーパレスト３に載置される。原稿台４は、透明板から成っており、筺体１０の上面に設けられている。原稿は、画像が描かれている面を下向きにして原稿台４に載置される。原稿押さえ板５は、筺体１０の上面に回動自在に設けられており、原稿押さえ板５を開くことにより、原稿台４に原稿を載置することができ、原稿押さえ板５を閉じることにより、原稿台４に載置された原稿を押さえることができるようになっている。
【００１５】
印刷部６は、印刷用紙２を搬送するためのフィードローラ６１と、印刷用紙２にインクを噴射する印刷ヘッド６２等を備えている。フィードローラ６１は、不図示のローラ駆動機構によって、回転制御されるようになっている。印刷ヘッド６２は、不図示のヘッド移動機構によって、印刷用紙２の搬送方向と直交する方向に移動制御されるようになっている。印刷部６は、ペーパレスト３に装填されている印刷用紙２を不図示の給紙ローラにより１枚ずつ筺体１０の内部に取り込み、フィードローラ６１により印刷用紙２を搬送すると共に印刷ヘッド６２により印刷用紙２にインクを噴射することによって、印刷用紙２に画像を印刷し、そして、画像印刷後の印刷用紙２を排紙口１０ａから筺体１０の外部に排出する。
【００１６】
画像読取部７は、原稿台４に載置された原稿に光を照射するための光源７１と、原稿からの反射光を受光するための画像読取センサ７２等を備えている。画像読取センサ７２は、不図示のセンサ移動機構によって、原稿台４に沿って移動制御されるようになっている。光源７１は、画像読取センサ７２に一体的に固定されており、画像読取センサ７２と共に移動するようになっている。画像読取部７は、光源７１を点灯させた状態で、画像読取センサ７２を原稿台４に沿って移動させながら、画像読取センサ７２により原稿台４に載置された原稿からの反射光を受光することによって、原稿台４に載置された原稿の画像を読取る。
【００１７】
操作部８は、筺体１０の上面に設けられており、画像印刷装置１の各種動作を指示するためにユーザに操作される操作ボタンとして、電源ボタン８１と、画像読取ボタン８２と、印刷指示操作手段である印刷ボタン８３と、部数設定操作手段及び部数表示操作手段である部数ボタン８４と、キャンセルボタン８５とを備えている。
【００１８】
電源ボタン８１は、画像印刷装置１の電源をオン／オフするためのボタンである。画像読取ボタン８２は、画像読取部７による画像の読取を指示するためのボタンであり、印刷ボタン８３は、印刷部６による画像の印刷を指示するためのボタンである。部数ボタン８４は、印刷部６による画像の印刷部数を設定するための、及び、設定された印刷部数を表示させるためのボタンである。キャンセルボタン８５は、部数ボタン８４の操作により設定された印刷部数や、画像印刷装置１の実行中の動作をキャンセルするためのボタンである。これら電源ボタン８１、画像読取ボタン８２、印刷ボタン８３、部数ボタン８４、及びキャンセルボタン８５は、いずれも、押下操作される押しボタンである。
【００１９】
表示部９は、筺体１０の上面に設けられており、画像印刷装置１の動作に関する各種表示を行うランプとして、動作状態表示用ＬＥＤランプ９１と、設定部数表示手段である設定部数表示用ＬＥＤランプ９２とを備えている。
【００２０】
動作状態表示用ＬＥＤランプ９１は、画像印刷装置１の電源のオン／オフ状態、印刷用紙２の紙詰まりや印刷ヘッド６２のインク不足の状態等を表示するためのランプである。設定部数表示用ＬＥＤランプ９２は、部数ボタン８４の操作により設定された印刷部数を表示するためのランプである。これら動作状態表示用ＬＥＤランプ９１、及び設定部数表示用ＬＥＤランプ９２は、いずれも、光を発することにより表示動作を行うようになっている。
【００２１】
このような構成の画像印刷装置１は、部数ボタン８４が短押し操作（所定時間（例えば１秒）よりも短い時間押下される操作）されると、その短押し操作の回数に対応して印刷部数を設定するようになっている。また、画像印刷装置１は、部数ボタン８４が長押し操作（所定時間（例えば１秒）よりも長い時間押下される操作）されると、設定された印刷部数を設定部数表示用ＬＥＤランプ９２の点滅回数によって表示するようになっている。
【００２２】
図２は、画像印刷装置１の電気的ブロック構成を示す。画像印刷装置１は、上述の構成に加え、画像印刷装置１の動作を制御するためのＣＰＵ、ＲＯＭ、及びＲＡＭ等を含む制御部２１と、メモリ２２等を備える。制御部２１のＲＯＭ内には、画像印刷装置１の動作を制御するためのファームウェアや各種データが記憶されている。
【００２３】
動作状態表示用ＬＥＤランプ９１は、制御部２１による制御のもと、点灯、消灯制御される。動作状態表示用ＬＥＤランプ９１は、画像印刷装置１の電源がオンのときに点灯されると共に、画像印刷装置１の電源がオフのときに消灯され、また、印刷用紙２の紙詰まりや印刷ヘッド６２のインク不足等のときに点滅される。
【００２４】
設定部数表示用ＬＥＤランプ９２は、制御部２１による制御のもと、点灯、消灯制御される。設定部数表示用ＬＥＤランプ９２は、設定されている印刷部数を表示しない通常時に消灯されており、設定されている印刷部数を表示するときに点滅される。
【００２５】
メモリ２２は、制御部２１による制御のもと、画像読取部７により読取った画像の画像データ、操作部８の部数ボタン８４の短押し操作の回数を示す値、部数ボタン８４の短押し操作により設定された印刷部数を示す値等を記憶する。制御部２１は、操作部８の操作を受けて、画像印刷装置１の各種動作を制御する。
【００２６】
制御部２１は、画像読取ボタン８２が押下（すなわち画像読取指示操作）されると、画像読取部７によって原稿台４に載置された原稿の画像を読取らせる処理を実行し、印刷ボタン８３が押下（すなわち印刷指示操作）されると、印刷部６によって印刷用紙２に画像を印刷させる処理を実行する。
【００２７】
また、制御部２１は、部数ボタン８４が押下されると、部数ボタン８４の押下時間を検出し、部数ボタン８４の押下時間に応じて、印刷部６によって印刷する印刷部数を設定（メモリ２２に記憶）する処理、又は、設定されている印刷部数を設定部数表示用ＬＥＤランプ９２によって表示させる処理のいずれかを実行する。
【００２８】
すなわち、制御部２１は、部数ボタン８４が短押し操作（所定時間（例えば１秒）よりも短い時間押下される操作）された場合には、印刷部６によって印刷する印刷部数を設定するための操作であると判断し、印刷部６によって印刷する印刷部数を設定する。このとき、制御部２１は、部数ボタン８４の短押し操作の回数に対応する印刷部数を設定する。つまり、制御部２１は、部数ボタン８４の短押し操作の回数を印刷部数として設定する。
【００２９】
一方、制御部２１は、部数ボタン８４が長押し操作（所定時間（例えば１秒）よりも長い時間押下される操作）された場合には、設定されている印刷部数を表示させるための操作であると判断し、そのときに設定されている印刷部数を設定部数表示用ＬＥＤランプ９２によって表示させる。このとき、制御部２１は、設定されている印刷部数に対応する回数だけ設定部数表示用ＬＥＤランプ９２を点滅させることにより、設定されている印刷部数を設定部数表示用ＬＥＤランプ９２によって表示させる。
【００３０】
図３は、上記画像印刷装置１の印刷動作における制御処理のフローチャートを示す。まず、制御部２１は、画像読取ボタン８２が押下されると（＃１でＹＥＳ）、画像読取部７によって、原稿台４に載置された原稿の画像を読取らせる（＃２）。画像読取部７によって読取られた画像は、メモリ２２に記憶される。
【００３１】
続いて、制御部２１は、変数Ｋの値を「０」に設定する（＃３）。変数Ｋの値は、部数ボタン８４の短押し操作の回数を示しており、メモリ２２に記憶される。また、制御部２１は、変数Ｎの値を「１」に設定する（＃４）。変数Ｎの値は、印刷部６によって印刷する印刷部数を示しており、メモリ２２に記憶される。これにより、印刷部６によって印刷する印刷部数が１部に設定される。つまり、画像読取ボタン８２の押下を受けて原稿の画像を読取った時点で、印刷部数は自動的に１部に設定される。
【００３２】
その後、印刷ボタン８３が押下されると（＃５でＹＥＳ）、制御部２１は、印刷部６によって、上記＃２で読取った画像をＮ部印刷させ（＃６）、そして、印刷動作の制御処理を終了する。
【００３３】
一方、印刷ボタン８３が押下されずに（＃５でＮＯ）、部数ボタン８４が短押し操作されると（＃７でＹＥＳ）、制御部２１は、変数Ｋの値を「１」増加させて（＃８）、変数Ｎの値を変数Ｋの値に設定する（＃９）。また、部数ボタン８４が長押し操作されると（＃１０でＹＥＳ）、制御部２１は、設定部数表示用ＬＥＤランプ９２をＮ回（変数Ｎの値の回数）点滅させる（＃１１）。また、キャンセルボタン８５が押下されると（＃１２でＹＥＳ）、制御部２１は、印刷部６によって画像を印刷させることなく、印刷動作の制御処理を終了する。
【００３４】
制御部２１は、上記＃５で印刷ボタン８３が押下されるか、又は、上記＃１２でキャンセルボタン８５が押下されるまで、上記＃７〜＃１１の処理を繰り返す。すなわち、上記＃７〜＃１１の処理は、上記＃５で印刷ボタン８３が押下されるか、又は、上記＃１２でキャンセルボタン８５が押下されるまで、繰り返される。
【００３５】
従って、＃７〜＃１１の処理の繰り返しにおいて、＃７で部数ボタン８４が短押し操作されると、部数ボタン８４が短押し操作される都度、＃８で変数Ｋの値が「１」増加され、＃９で変数Ｎの値がそのときの変数Ｋの値に設定される。つまり、＃７〜＃１１の処理の繰り返しにおいて、＃７で部数ボタン８４が短押し操作される都度、変数Ｎの値が部数ボタン８４の短押し操作の回数に対応して「１」ずつ増加してゆき、これにより、部数ボタン８４の短押し操作の回数が、印刷部６によって印刷する印刷部数として設定される。設定される印刷部数は、＃７〜＃１２の処理の繰り返しにおいて、＃７で部数ボタン８４が短押し操作される都度、１部ずつ増加してゆく。
【００３６】
また、＃７〜＃１１の処理の繰り返しにおいて、＃１０で部数ボタン８４が長押し操作されると、その都度、＃１１で設定部数表示用ＬＥＤランプ９２がＮ回（そのときの変数Ｎの値の回数）点滅され、これにより、そのときに設定されている印刷部数が設定部数表示用ＬＥＤランプ９２の点滅回数によって表示される。
【００３７】
そして、上記＃５で印刷ボタン８３が押下されると、＃６で画像がＮ部（そのときの変数Ｎの値の部数）印刷される。従って、上記＃７で部数ボタン８４が短押し操作されことなく、上記＃５で印刷ボタン８３が押下された場合には、変数Ｎの値は「１」になっており、上記＃２で読取った画像が１部印刷され、一方、上記＃７で部数ボタン８４が短押し操作された後に、上記＃５で印刷ボタン８３が押下された場合には、変数Ｎの値は部数ボタン８４の短押し操作の回数になっており、上記＃２で読取った画像が部数ボタン８４の短押し操作の回数に対応する部数（すなわち部数ボタン８４の短押し操作により設定された印刷部数）分印刷される。
【００３８】
このように、上記構成の画像印刷装置１によれば、部数ボタン８４を短押し操作すると、その短押し操作の回数が印刷部数として設定され、そして、部数ボタン８４を長押し操作すると、設定部数表示用ＬＥＤランプ９２が設定された印刷部数に対応する回数点滅することにより、設定された印刷部数が設定部数表示用ＬＥＤランプ９２の点滅回数によって表示される。
【００３９】
従って、ユーザは、部数ボタン８４の短押し操作により印刷部数を設定する操作をした後、部数ボタン８４を長押し操作することにより、ユーザの操作により設定された印刷部数を設定部数表示用ＬＥＤランプ９２によって表示させて、設定部数表示用ＬＥＤランプ９２の点滅回数によって確認することができる。
【００４０】
しかも、設定された印刷部数を設定部数表示用ＬＥＤランプ９２の点滅回数によって表示するため、従来のように数字表示を行う液晶表示部や７セグＬＥＤ表示部を設ける必要がなく、これにより、安価な構成によって、設定された印刷部数を確認のために表示することができる。
【００４１】
さらに、部数ボタン８４を長押し操作することにより、設定された印刷部数が表示されるため、ユーザは、部数ボタン８４を長押し操作することにより、設定された印刷部数をユーザの予期するタイミングで表示させることができ、設定された印刷部数を確実に確認することができる。
【００４２】
また、部数ボタン８４が、印刷部数を設定するために操作される操作手段と、設定された印刷部数を表示させるために操作される操作手段とを兼ねているため、安価な構成になる。しかも、部数ボタン８４を短押し操作することにより、その短押し操作の回数が印刷部数として設定されるため、数字入力用のテンキー等の操作手段が不要であり、より安価な構成になる。
【００４３】
なお、本発明は、上記実施形態の構成に限られず、種々の変形が可能である。例えば、設定部数表示用ＬＥＤランプは、動作状態表示用ＬＥＤランプを兼ねていてもよい。また、画像印刷装置は、画像読取部により読取った画像を印刷するものに限られず、パーソナルコンピュータ、メモリカード、デジタルカメラ等の外部機器から画像データを入力できるようにして、外部機器から入力される画像データによる画像を印刷するようにしたものであってもよい。
【図面の簡単な説明】
【００４４】
【図１】（ａ）は本発明の一実施形態に係る画像印刷装置の概略構成を示す斜視図、（ｂ）は同画像印刷装置の操作部及び表示部の構成を示す斜視図。
【図２】同画像印刷装置の電気的ブロック構成図。
【図３】同画像印刷装置の印刷動作における制御処理を示すフローチャート。
【符号の説明】
【００４５】
１    画像印刷装置
２    印刷用紙
３    ペーパレスト
４    原稿台
５    原稿押さえ板
６    印刷部
７    画像読取部
８    操作部
９    表示部
１０    筺体
１０ａ    排紙口
２１    制御部
２２    メモリ
６１    フィードローラ
６２    印刷ヘッド
７１    光源
７２    画像読取センサ
８１    電源ボタン
８２    画像読取ボタン
８３    印刷ボタン（印刷指示操作手段）
８４    部数ボタン（部数設定操作手段、部数表示操作手段）
８５    キャンセルボタン
９１    動作状態表示用ＬＥＤランプ
９２    設定部数表示用ＬＥＤランプ（設定部数表示手段）
【図１】
2008168546.tif 000003
【図２】
2008168546.tif 000004
【図３】
2008168546.tif 000005